Podtech/llm-jp-corpus-v4-ja_patent huggingface dataset:
(57)【要約】      （修正有）【課題】カメラで被写体を映し出し、電子映像を合成させている従来技術では撮影距離（ピント）が一定になることや、カメラの解像度により、被写体の写りが悪くなるという課題と、高解像度カメラが必要という課題を解決する。【解決手段】鏡２１を液晶のバックライトとして使用する手段と、鏡に映しだされた映像を液晶にてスキャンする手段と、制御部２３にて、インターネットに接続する手段を設ける。【選択図】図２
2017027002.tif 000002
【特許請求の範囲】
【請求項１】
鏡を液晶のバックライトとして使用し、鏡に映る被写体と、液晶による電子映像を組み合わせた電子鏡
【請求項２】
鏡に映し出された映像が、液晶にてスキャンされ、コントローラーにより解析される電子鏡
【発明の詳細な説明】
【技術分野】
【０００１】  本発明は、鏡にスキャン機能およびタッチパネル機能がついた液晶を付加し、鏡に映る被写体と電子映像を組み合わせ電子鏡の分野である。また、化粧品、衣類、帽子、アクセサリーの装飾品を選択し、試着及び試用ができる技術分野である。
【従来技術】
【０００２】  図１は、従来技術の構成図である。図１１はカメラ、図１２は制御部、図１３はモニタである。図１１は図１２に接続され、図１３は図１２に接続されている。
図１１で被写体を映しだし、図１２で電子映像を合成させて、図１３で表示させる。化粧品、衣類、帽子、アクセサリーのコンテンツの装飾品を試着及び試用させている技術である。
【０００３】  しかしながら、従来技術では、撮影距離が一定になること（ピントがあう距離が一定になること）や、解像度により、被写体の映りが悪くなるという問題点と、高解像度カメラが必要という問題点があった。
【発明の開示】
【発明が解決しようとする課題】
【０００４】  本発明は０００３で示す問題点を解決しようとするのが課題である。
【課題を解決するための手段】  鏡を液晶のバックライトとして使用する手段と、鏡に映し出された映像を液晶にてスキャンする手段と、制御部にて、インターネットに接続する手段を設けたものである。
【発明の実施例】
【０００５】  図２は、本発明の電子鏡を側面から見た構成図である。図２１は鏡、図２２はスキャン機能とタッチパネル機能がついた液晶、図２３は制御部である。図２１に図２２は貼り付けられていて、図２２は図２３に接続されている。図２２は図２１で映し出された映像を把握でき、スキャンできる。図２２は表面のタッチ状態を把握でき、操作も可能である。図２３は、図２２からのスキャンデータとタッチデータを入力として、図２２に対し、操作画像と、電子映像を映し出すことができる。図２３はインターネットに接続され、ＷＥＢ−ＡＰを使用することができる。
図３は、本発明の電子鏡を正面から見た構成図である。
図３１は鏡、図３２はスキャン機能とタッチパネル機能がついた液晶、図３３は制御部である。機能及び接続形態は図２に示すものと同じで省略する。化粧品、衣類、帽子、アクセサリーのコンテンツが、インターネットによりダウンロードされたＷＥＢ−ＡＰにより、装飾品を選択し、鏡に映し出された被写体と、合成された映像により、試着及び試用ができ、タッチパネル操作により、操作及び購入が可能となる。
【発明の効果】
【０００６】  このようにすれば、カメラは必要なく、撮影距離（ピント）が一定となることや、解像度により、被写体の映りが悪くなるという問題点は解消され、見た目は鏡の電子鏡を実現することができる。また、化粧品、衣類、帽子、アクセサリーのコンテンツをインターネットによりダウンロードされたＷＥＢ−ＡＰにより、装飾品を選択し、自宅にて、試着、試用ができ、購入が可能になり、消費の向上がはかれる。
【図面の簡単な説明】【従来技術の実施例】
【図１】従来技術の構成図である。【発明の実施例】【図２】本発明の電子鏡を側面から見た構成図である。
【図３】本発明の電子鏡を正面から見た構成図である。
【符号の説明】１１    カメラ
１２    制御部
１３    モニタ
２１    鏡
２２    スキャン機能とタッチパネル機能がついた液晶
２３    制御部
３１    鏡
３２    スキャン機能とタッチパネル機能がついた液晶
３３    制御部
【図１】
2017027002.tif 000003
【図２】
2017027002.tif 000004
【図３】
2017027002.tif 000005
(57)【要約】【課題】自動車のハッチバッグを閉めるのに、背が低いなどで困難な人の手助けになる補助具が必要。【解決手段】市販されている四角リングとフリーチェーンをＳカンフックで繋いで、自動車のハッチバッグに取り付けて使用する。【特許請求の範囲】
【請求項１】
自動車のハッチバッグを閉めるのに使用するチェーンと関連する部品。
【発明の詳細な説明】
【技術分野】
【０００１】      本発明は、自動車のハッチバッグを背の低い人でも閉めやすくする補助具に関する。
【背景技術】
【０００２】      市販されている四角リングとフリーチェーンを使い、それをＳカンフックで繋ぐ。【０００３】      自動車のハッチバッグを少し開けて、一本に繋いだ製品の四角リングを自動車のハッチバッグの内側のロックする開閉部に取り付ける。【０００４】      そのまま、ハッチバッグを全開にして閉めるときに取りつけた製品のチェーン部分を持って引き、ハッチバッグを下げる。ハッチバッグを完全に閉める前にハッチバッグの外側のノブを引き、四角リングを取り外す。そして、閉める。
【発明の概要】
【発明が解決しようとする課題】
【０００５】      自動車のハッチバッグを閉めるのに、背が低いなどで閉めるのが困難な人の手助けになる。
【課題を解決するための手段】
【０００６】      市販されている四角リングとフリーチェーン、Ｓカンフックを使い簡単に誰でも作れる。
【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
自動車のハッチバックの内側のロックする開閉部に取り付け、取り外すことのできる四角リングとフリーチェーンをＳカンフックで繋いだ補助具であって、ハッチバックを全開にして閉めるときに、取り付けた補助具の前記フリーチェーンの部分を持って引き、ハッチバックを下げ、ハッチバックを完全に閉める前にハッチバッグの外側のノブを引き、前記四角リングを取り外すようにして使用する補助具。
(57)【要約】      （修正有）【課題】船舶の走行抵抗、特に水、海水または各種の液体との摩擦抵抗を減少させる船体構造を提供する。【解決手段】底部以外を密閉した複数の中空浮力槽を持ち、それら複数の浮力槽によって得られた安定な浮力によって船体と積載物を支え、船体底部における水との摩擦抵抗を減少させる。具体的には、左右隔壁および前後隔壁６によって前後左右に分けられたつの浮力槽により、船体はどの方向に傾いても傾いた部分の浮力槽が深く沈み込むことによる復元力を持つために安定な浮力を持つことができ、しかも船底がないために船底による水との摩擦抵抗は発生しない。しかし、船体側面は喫水線下で水と接しているため摩擦抵抗を受ける。したがって船体は必要な浮力を得るために底面積を大きくとり、船体側面の摩擦抵抗を減じるために喫水部分を浅くすることによってぜんたいの摩擦抵抗を減ずることができる。【選択図】図１
2017197161.tif 000002
【特許請求の範囲】
【請求項１】
底部以外を密閉した３個以上の中空浮力槽を持ち、それら複数の浮力槽によって得られた安定な浮力によって船体と積載物を支え、船体底部における水との摩擦抵抗を減少させようとする船体構造。
【請求項２】
底部以外を密閉した中空浮力槽の圧力を調整することによって波による船体姿勢の影響を減じることができる請求乗１記載の船体構造。
【請求項３】
底部以外を密閉した中空浮力槽内に引き上げ可能なサイドスラスト機構を設置し、必要な時のみ水中におろしてサイドスラスト機能を発揮できる請求項１、または請求項２記載の船体構造。
【請求項４】
底部以外を密閉した中空浮力槽内に引き上げ可能な緊急用操舵装置を設置し、必要な時のみ水中におろして緊急操舵機能を発揮できる請求項１、または請求項２記載の船体構造。
【請求項５】
底部以外を密閉した中空浮力槽内に前後に位置を変更できる造波抵抗キャンセル機構を設置し、速度に応じた位置で造波抵抗をキャンセルすることができる請求項１、または請求項２記載の船体構造。
【請求項６】
底部以外を密閉した中空浮力槽内に発生した水蒸気を凝縮するための冷却装置を持ち、冷却装置によって真水を生成することができる請求項１、または請求項２記載の船体構造。
【発明の詳細な説明】
【技術分野】
【０００１】本発明は船舶の走行抵抗に関し、特に水、海水または各種の液体との摩擦抵抗を減少させることに関するものである。
【発明の概要】
【発明が解決しようとする課題】
【０００２】本発明は船舶の走行抵抗に関し、特に水、海水または各種の液体との摩擦抵抗を減少させることに関するものである。
【課題を解決するための手段】
【０００３】以下の説明で水、水上あるいは水面という表現は水や海水そのほかの液体をも含めたものに関連する事象を指している。【０００４】本発明は、底部以外を密閉した複数の中空浮力槽を持ち、それら複数の浮力槽によって得られた安定な浮力によって船体と積載物を支え、船体底部における水との摩擦抵抗を減少させようとするものである。【０００５】船体は船体の内部と外部にそれぞれ喫水線を持つ。内部喫水線と外部喫水線との差によって浮力が生じているので、内部喫水線は外部喫水線よりも低い位置にある。各浮力槽の内部喫水線と浮力槽下端との差が波に対するマージンとなる。各浮力槽の圧力を調整することにより、マージンを変化させることができる。各浮力槽の圧力を減じるには、各浮力槽の上側（甲板）に設置された排気弁を開放して浮力槽内の気体を排出することによって行う。各浮力槽の圧力を増やすには、ポンプによる気体の圧入、エンジンからの排気ガスの導入、爆薬を含む化学的な気体の発生によっておこなう。
【発明の効果】
【０００６】左右隔壁および前後隔壁によって前後左右に分けられたつの浮力槽により、船体はどの方向に傾いても傾いた部分の浮力槽が深く沈み込むことによる復元力を持つために安定な浮力を持つことができる。しかも船底がないために船底による水との摩擦抵抗はない。しかし、船体側面は喫水線下で水と接しているため摩擦抵抗を受ける。したがって船体は必要な浮力を得るために底面積を大きくとり、船体側面の摩擦抵抗を減じるために喫水部分を浅くすることによってぜんたいの摩擦抵抗を減ずることができる。【０００７】波が高い時には各浮力槽の喫水マージンを大きくとって安定な走行を優先させる。波が低い時には喫水マージンを小さくして摩擦抵抗を低くする。内部喫水線は各浮力槽ごとに調整できるので、波を受けたときに浮力槽内の圧力を調整して波による船体姿勢の影響を減じることができる。【０００８】浮力槽内の空間を利用して、サイドスラスト機構を収納し、使用しないときには水面上に引き上げておくことができる。【０００９】浮力槽内の空間を利用して、緊急用前方操舵機構を収納し、使用しないときには水面上に引き上げておくことができる。【００１０】浮力槽内の空間を利用して、通常船体の球状船首に相当する造波抵抗をキャンセルする機構を設置することができる。この機構は前後の位置を可変とすることができるため、速度に応じた位置で造波抵抗をキャンセルすることができる。【００１１】浮力槽内の気体には水面から蒸発した水蒸気が豊富に含まれているので、気体を加圧したまま浮力槽と冷却器の間で循環させることによって真水を取り出すことができる。
【図面の簡単な説明】
【００１２】
【図１】底なし船の実施方法を示した説明図である。（側面図）
【図２】底なし船の実施方法を示した説明図である。（平面図）
【符号の説明】１      外部喫水線
２      内部喫水線
３      浮力槽下端
４      排気弁
５      左右隔壁
６      前後隔壁
７      前部造波抵抗キャンセル機構
８      後部造波抵抗キャンセル機構
９      船殻
１０    船首
１１    船尾
【図１】
2017197161.tif 000003
【図２】
2017197161.tif 000004
(57)【要約】【課題】汚してはいけない大切な本や、重要な資料にもマーキングができるように、貼って剥せるタイプのテープをマーキング材として使用することを特徴とするマーカーを提供する。【解決手段】先端▲３▼から、貼って剥せるタイプの透明カラーテープ▲２▼を、下側が粘着面になるような形で出す事のできる器具▲１▼を作る。器具▲１▼から繰り出されるテープ（マーキング材）を、器具▲１▼の先端▲３▼部分でマークしたい場所に押し付けながら、直接、貼ってゆく。器具▲１▼の先端▲３▼近くに、テープの切断装置▲４▼を設けておき、これを押すことにより、テープを希望する所で切れるようにしておく。【選択図】図１
2017197702.tif 000002
【特許請求の範囲】
【請求項１】
貼って剥せるタイプのテープをマーキング材として使用することを特徴とするマーカー
【発明の詳細な説明】
【技術分野】
【０００１】この発明は、貼って剥せるタイプのテープをマーキング材として使用するマーカーに関するものである。
【背景技術】
【０００２】従来のマーカーは、蛍光ペンに代表されるように、浸透性のインクを使用したものや、薄いフィルムを転写するタイプのものであった。
【先行技術文献】
【特許文献】
【０００３】
【特許文献１】
【発明の概要】
【発明が解決しようとする課題】
【０００４】これには次のような欠点があった。
１．従来のマーカーは、浸透性のインクを使用している為、原本を変質させてしまい、一度、マーキングしてしまうと、原本を元の状態に戻す事はできない。
２．転写フィルムがコピーの時、下の文字を判読困難にしてしまう事がある。
３．汚してはいけない大切な本や、重要な資料にマーキングすることはできない。
本発明は、このような不都合を解決するためになされたものである。
【課題を解決するための手段】
【０００５】貼って剥せるタイプの透明カラーテープ▲２▼を、下側が粘着面になるような形で器具▲１▼にセットし、これを、器具▲１▼の先端▲３▼から引き出すと共に、マークしたい箇所に押し付けながらなぞり、直接、貼ってゆく。器具▲１▼の先端▲３▼近くには、テープの切断装置▲４▼が設けてあり、これを押すことにより、テープを希望する所で切る事ができる。貼って剥せるタイプのテープだから、原本を変質させることはない。コピーの時、もし都合が悪ければ、一時的にテープを除去することもできる。
【発明の効果】
【０００６】貼って剥せるタイプのテープをマーキング材として使用するこのマーカーは、マーキング材自体に浸透性がない為、汚してはいけない大切な本や、重要な資料にも使用する事ができる。また、後で、マーキング材を除去することもできる。
【図面の簡単な説明】
【０００７】
【図１】本発明の断面図である。
【図２】本発明の外観図である。
【発明を実施するための形態】
【０００８】以下、本発明を実施するための形態について説明する。
先端▲３▼から、貼って剥せるタイプの透明カラーテープ▲２▼を、下側が粘着面になるような形で出す事のできる器具▲１▼を作る。これを使用する時は、器具▲１▼から繰り出されるテープ（マーキング材）を、器具▲１▼の先端▲３▼部分でマークしたい場所に押し付けながら、直接、貼ってゆく。器具▲１▼の先端▲３▼近くに、テープの切断装置▲４▼を設けておき、これを押すことにより、テープを希望する所で切れるようにしておく。
【符号の説明】
【０００９】▲１▼  器具
▲２▼  貼って剥せるタイプの透明カラーテープ
▲３▼  先端
▲４▼  切断装置
【図１】
2017197702.tif 000003
【図２】
2017197702.tif 000004
(57)【要約】      （修正有）【課題】（米用検査出荷紙袋）規格袋を掴み移動させる。【解決手段】掴みの際、主体部アームを格子状及び腕曲させ、内容量３０キロを積めた袋に損傷を与えることなく、又落下を抑制する。アームが腕曲、格子状になっている為、掴みの力が袋内に伝えられクランプが増す。規格袋を把握する腕の形状に突起物を無くし内接した規格袋の破損を避けると共に落下の危険性を解消するもので、腕の構造に中間支工棒を配し内接用に腕曲させた構造としたものである。主腕構造体に付する桟状の材料との寸法差を設けることで規格袋の変形時に抵抗を生じさせる事とした。起動源として圧縮空気を利用して上下作動の瞬便性、簡易操作性をクランプ（掴み）と同時に採用した事により、伝わり労力の軽減、作業の速度の短縮を計る。【選択図】図１
2017197382.tif 000002
【特許請求の範囲】
【請求項１】
米用検査出荷用紙袋（以後規格袋）を、移動させる際エアーシリンダーによる掴みによってもちあげる。又、掴み腕が力格子、腕曲状になっている事で、掴みの力が規格袋内に伝えられ、クランプ力が増し、規格袋を落下することを抑制する。規格袋を落下する事なく移動する事を可能としたことが特徴である。
【発明の詳細な説明】
【技術分野】
【０００１】本発明は，規格袋を移動する装置に関する。
【背景技術】
【０００２】近年、農家の高齢化により規格袋（３０ｋｇ）の移動が重労働となっている。
【発明の概要】
【発明が解決しようとする課題】
【０００３】人力による規格袋の移動を軽減。
【課題を解決するための手段】
【０００４】圧縮空気による、掴み、移動を特徴とする。
【発明の効果】
【０００５】お米はこぶ君による規格袋の移動によって労力の削減を行った。
【図面の簡単な説明】
【０００６】▲０１▼の昇降シリンダーロット先端に吊下点を儲け▲０１▼シリンダー上部室に圧力を加える事により昇降シリンダー本体に取り付けたバルブ類及びクランクシリンダーが上昇する。【０００７】玄米用規格袋を所定位置を搬送後開放する。又は掴み操作を▲０３▼ハンドバルブにより規格袋の開放、掴み、を行う又、▲０２▼▲０２▼’のメカバルブの操作により上昇又は下降を行う。
【回路の特徴】
【０００８】  規格袋の重量に比べ機体本体の重量が軽量化する事に伝わより操作性、作業性が簡素化する。
【０００９】  下降時のシリンダー出力は回路の特徴の設定に伝わりロッド径の断面積のみの圧力差となるため誤作動の場合でも座屈の恐れもなく危険性も少ない。
2017197382.tif 000003
2017197382.tif 000004
【図３】
2017197382.tif 000005
【図４】
2017197382.tif 000006
【手続補正書】
【提出日】平成28年8月15日(2016.8.15)
【手続補正１】
【補正対象書類名】明細書
【補正対象項目名】０００６
【補正方法】変更
【補正の内容】
【０００６】
【図１】構築物▲０１▼に取り付けられた、移動用レール（水平走行レール）▲０４▼内を走行可能車輪▲０５▼介して、エアーシリンダーのロッド先端金具▲１１▼と揺動ピン▲１０▼にて吊り下げられた、シリンダーロッド▲１２▼に依り昇降エアーシリンダー▲１３▼がエアーメカニカルバルブの操作にて上下作動する。規格袋のつかみ本体▲１９▼は昇降エアーシリンダー最下部に取り付けられた掴みシリンダー▲１４▼に依り、ロッド先端金具▲１５▼ピン▲１６▼、▲１７▼揺動軸受、つかみアーム▲１８▼を介してハンドバルブの操作にて規格袋を掴む。
【図２】圧縮空気回路図  昇降シリンダー▲１▼内の上部、圧縮室内は常時、供給圧が投入されている。下降時には、メカニカルバブル▲２▼に依り下部、圧力室に圧縮空気を入れる事に依りシリンダー本体が下降する。停止位置は、メカニカルバルブ▲２▼の操作を停止する事に依り中間位置にて任意に停止する事が出来る。又、上昇は下部室内の圧力をメカニカルバブル▲２▼’にて排気する事で上昇を行う。上昇も任意の位置にて停止出来る。規格袋の掴みは、ハンドバルブ▲３▼に依りクランプシリンダー▲４▼を作動させる。
【図３】米俵の掴み状態の側面図である。掴みの腕部より紙袋が横方向に変形し落下しない事が分かる。
【手続補正２】
【補正対象書類名】図面
【補正対象項目名】全図
【補正方法】変更
【補正の内容】
【図１】
2017197382.tif 000007
【図２】
2017197382.tif 000008
【図３】
2017197382.tif 000009
(57)【要約】【課題】薄暗い場所や夜間、自動車を運転しての交差点右左折時等、急角度で曲がる際、歩行者や障害物等の発見が遅れ、歩行者を巻き込み、あるいは撥ねる等の事故を防止するため、進行方向を明るく照らすとともに、エネルギーのロスを極力抑える。【解決手段】自動車の方向指示器のレバー操作を２段階とし、さらに車幅灯と連動して点灯するように配線され、方向指示器のレバー操作の２段階目と連動して点灯・消灯する広角度を照らす灯火装置を自動車の前部右角及び左角に設置する。【選択図】なし【特許請求の範囲】
【請求項１】
レバー操作を２段階とした、自動車の方向指示器レバー
【請求項２】
車幅灯と連動して点灯するように配線され、尚且つ請求項１のレバー操作の２段階目と連動して点灯・消灯する自動車の前部右角及び左角に設置された、広角度を照らす灯火装置。
【発明の詳細な説明】
【技術分野】
【０００１】
本発明は、薄暗い場所や夜間、自動車を運転しての交差点右左折時等の際、曲がる進行方向を照射し、歩行者や障害物等を発見しやすくする装置に関するものである。
【背景技術】
【０００２】
従来、自動車の照明設備である前照灯は、前方のみを照らすように固定されているため、真正面の比較的狭い範囲しか見えない。
【０００３】
そのため、夜間において交差点などの右左折時等、急角度で曲がろうとしたとき、進行方向が暗くて見にくいため、事故を誘発する危険性が高い。
【０００４】
この改善策として、ハンドルと連動して前照灯を動かす考案があるが、この場合は、懐中電灯を揺らしながら歩いている場合のように、ちらちらして見にくくなるため、かえって危険である。
【特許文献１】実願平１−１９０５０
【０００５】
又、前面又は側面に、方向指示器と連動させたライトを設けるとの考案もあるが、この場合、車線変更時等の不必要な時でさえも点灯することとなり、他の併走又は後続の車両にとって危険となる可能性があるとともに、明るい真昼間まで点灯することは、膨大な数の自動車が存在する現代社会にとってエネルギーの無駄遣いとなる。
【特許文献２】実願２０１２−２４４１
【０００６】
さらに、短距離用ドライブライトを設け、車輪のステアリング偏向量に応じてこれに供給される電力を制御するとの考案は、構造上複雑となり、又、明るい真昼間まで点灯することは、膨大な数の自動車が存在する現代社会にとってエネルギーの無駄遣いとなる。
【特許文献３】特開平１０−２５０４６０
【発明の開示】
【発明が解決しようとする課題】
【０００７】
薄暗い場所や夜間、自動車を運転しての交差点右左折時等、急角度で曲がる際、進行方向が暗くて見にくくなる。
【０００８】
そのため、歩行者や障害物等の発見が遅れ、歩行者を巻き込み、あるいは撥ねる等の事故がたびたび起こっている。
【０００９】
そこで、解決しようとする問題点は、これらの場合、歩行者等を的確に捉え、事故を未然に防止する点にある。
【００１０】
さらに、エネルギーの無駄遣い、あるいはエネルギー危機が声高に叫ばれている現代社会において、この無駄遣いを同時に最小限にしながら課題を解決する点にある。
【課題を解決するための手段】
【００１１】
薄暗い場所や夜間での交差点右左折時等、急角度で曲がる際のみ、進行方向を広範囲に照射すればよい。
【００１２】
そこで、自動車の方向指示器のレバー操作を２段階とし、さらに車幅灯と連動して点灯するように配線され、方向指示器のレバー操作の２段階目と連動して点灯・消灯する広角度を照らす灯火装置を自動車の前部右角及び左角に設置する。
【００１３】
自動車を運転する場合、前方には特に注意を払うため、少々暗くなっても前照灯を点けずに走行している車両もあるが、その場合でも車幅灯は点灯していることが多い。したがって、前照灯ではなく車幅灯と連動させた。
【００１４】
大型等のトラックやバス等、車長が長い自動車の場合、両側中程等に同様の灯火を追加設置すれば、さらに視認上効果が大きい。
【発明の効果】
【００１５】
この灯火装置により、歩行者や障害物等の発見が容易となり、見えないことによる事故の発生を未然に防止することが可能となる。
【００１６】
必要なときにのみ点灯させることにより、エネルギー消費量を極力抑制できる。
【００１７】
急角度で曲がる場合は、速度はあまり出すことはなく、遠方を照射する必要はないため、大きなエネルギーを要せず、通常、片側それぞれ高角度照射灯１個で通常足りるため、装置を単純化できる。
【００１８】
自動車メーカーが燃費データを偽造するなどエネルギー消費効率を大きく問題視する現状において、事故防止効果の拡大とエネルギー消費効率を両立させることができる。
【００１９】
自動車１台だけではエネルギー消費量の抑制効果は少ではあるが、現代社会においては膨大な数の自動車が走っているため、その総量における抑制効果は大きい。
【産業上の利用可能性】
【００２０】
この発明は、乗用車・貨物自動車等を問わずあらゆる車両に対して応用可能である。
(57)【要約】      （修正有）【課題】センサー感知機の作動範囲内に侵入者が入ると照明が点灯しベルを鳴らすことによって侵入を阻止する防犯ベルを提供する。【解決手段】防犯ベルは、一般家庭、事ム所、倉庫、車の車庫、天上裏、畑、農家のお倉などに設置され、人間、動物がセンサーの約１５度の範囲に触れると感知警報ベルを鳴らし、パニック状態にさせる構成とする。また、夜はセンサーの感知でベルと共に照明が点き明るく照らすため、二重の恐怖でパニックになり去っていく構成とする。【選択図】図１
2017111780.tif 000002
【特許請求の範囲】
【請求項１】
センサー  ベル  ブザー  サイレン  切変スイッチ使用電源使用  人間  小動物がセンサー約１５度の範囲に触れると作動して鳴り侵入者を撃退する
【請求項２】
切変スイッチを使用して操作から始まり図２より電気の流れを造り侵入者を感知する構成
【発明の詳細な説明】
【技術分野】
【０００１】本発明は防犯に関する
【背景技術】
【０００２】従来の防犯は家の内に侵入されてからの警察に知らせる。
本発明は侵入者が通路等に現われた瞬間にセンサーが感知してベル又はブザー図３、４に伝わり去っ行くまで鳴り続けます。
パニックになり去って行きます。被害を未然に防ぐ構成【０００３】従来の技術は侵入を傍受（会社関係）してからの警察又一般の家庭では侵入され荒され被害を受てからの警察の知らせ。【０００４】本発明は人間だけではなく小動物  ネズミ、ハクビシン  黄色スズメバチ、天上裏に巣を造る小動をセットするだけで撃退排除する構成【０００５】外来類の駆除は簡単ではなく苦慮している現在本体を、天上裏に置くだけで１５度と広く感知しますので少しの動きで感知て鳴り続けますのてパニックになり巣を造事なく、去って行きます。
スズメハチに効果がある事が分かりました。
【課題を解決するための手段】
【０００６】上記を目的達成するために本発明は、人間、動物がセンサー図１、２に触れ感知警報ベルを図３、４鳴らしパニックさせて撃退させます。
【０００７】夜はとくにセンサーの感知てベルと共に照明が付き明かるで照らすため二重の恐怖でパニックになり去っていく構成
【発明の効果】
【０００８】以上の説明から明らかな様に本発明にあたっては次に列挙する効果が得られる
【０００９】請求項の構成により本体図１センサー感知により人間  小動物が侵入しようとした瞬間に警告音でパニック状態にさせ侵入を阻止撃退します構成
黄色スズメハチに効果があるのは活気的
【００１０】本発明は昼の留守の時はベル図４夜はブザー図３を使い分ける
【００１１】請求項構成により図２から５までを使用して警告音を鳴らし安心安全を守る構成
【図面の簡単な説明】
【００１２】本発明を実施するための等１本体横の右、左
本発明を実施するための等２本体正面
本発明を実施するための等３ブザー正面
本発明を実施するための等４ベル正面【００１３】発明を実施するための形態の１図から５図が示めすように防犯器で基本的には補完するものであり用は外部からの侵入室内に侵入させる事なく排除を目的とした構成【００１４】使用目的の設置場所
一般家庭。事ム所  倉庫、車の車庫  天上裏、畑、農家のお倉【００１５】本発明はいかなる場所でも設置可能
【図１】
2017111780.tif 000003
【図２】
2017111780.tif 000004
【図３】
2017111780.tif 000005
【図４】
2017111780.tif 000006
【図５】
2017111780.tif 000007
【手続補正書】
【提出日】平成28年4月5日(2016.4.5)
【手続補正２】
【補正対象書類名】明細書
【補正対象項目名】００１２
【補正方法】変更
【補正の内容】
【００１２】
【図１】本発明の防犯ベルの正面図。
【図２】本発明の防犯ベルの側面及び背面図。
【図３】本発明の防犯ベルのベル拡大図。
【図４】本発明の防犯ベルのベル拡大図。
【図５】本発明の防犯ベルのスイッチ図。
(57)【要約】【課題】  半田付け部分を水平方向で溶融半田に浸漬したいとき、ポッド方式ではこぼれ出す問題があった。【解決手段】  水平方向または水平〜上方、水平〜下方に傾けても溶融半田が表面張力によってこぼれ出さない形状を見出し、使用した半田分を都度、糸半田で補給する。【選択図】図１
2017006981.tif 000002
【特許請求の範囲】
【請求項１】
表面張力を利用して、水平または水平から上方あるいは下方に傾けても、ヒーター等で加熱溶融している半田がこぼれ出さない形状が施され、且つ半田付けに使用した半田分を糸半田の供給で賄う半田ポット。
【請求項２】
請求項１の半田ポットで半田付けされた製品。
【請求項３】
請求項１の半田ポットに半田付けを行う溶融半田浸漬空間と温度保持と表面張力を高める溶融半田貯留空間を設ける。
【請求項４】
請求項１の半田ポットの開口部に累積する不要半田を取り除くスキージを設ける。
【請求項５】
請求項１の半田ポットの開口部に近接して半田付け後の半田部分の形状成型のための成型ガイドを設ける。
【請求項６】
請求項１の半田ポットの開口部に近接して半田付け後の半田部分の清掃のためのエアーブローノズルまた清掃機構を設ける。
【発明の詳細な説明】
【技術分野】
【０００１】  本発明は、糸半田が供給される半田ポット機（以下ポット）に属する。
【背景技術】
【０００２】  電線の予備半田、端子のからげ半田等を自動半田する時、噴流半田に半田付け部分を浸すか、溶融半田ポットに上方から浸す等の方法がある。
【発明が解決しようとする課題】
【０００３】  半田付けのある製品の自動製造機への半田付け工程の組み込みに於いて、水平または水平〜上方、下方方向から半田付け部分をポットに浸すことが求められる。
【課題を解決するための手段】
【０００４】  半田付け部分に見合った空間を有したポットにあって、ポット開口部を水平及び水平〜上方、下方まで傾けても、溶融半田の表面張力で、該溶融半田をポット開口部にとどめ、且つポット外に溶融半田が排出されない形状を持たせる。半田付け部分がポット内に浸されて、半田付けが完了した時に、半田付け部分をポット外に取り出す。半田付けに使用された半田は、半田付けするたびにポットへの糸半田の供給で賄う。
【発明の効果】
【０００５】  半田付け部分をポットに浸す時、半田付け部分を水平及び水平〜上方、下方方向で送り込むことが出来る。また必要半田量は毎回、ポットに補充するため半田仕上がりも安定する。さらにポット内の半田量の管理が容易となる。
【図面の簡単な説明】
【図１】  半田ポットの溶融空間、加熱ヒーター及び該ポットに糸半田を供給する供給形態の断面と、半田付け部分が浸された説明図。
【図２】  図１の溶融空間に浸すまえにフラックスを塗布するノズルの断面。
【図３】  図１の半田ポット上面図にあって、溶融半田の不要堆積を払い出す動作をａ）、ｂ）に示す、
【図４】  図１に成型ガイドとエアーブローノズルを設けた説明図、ａ）はその断面、ｂ）は成型形状図
【発明を実施するための最良の形態】
【０００６】  ポット溶融半田浸漬空間を水平から、１０〜２０°前後上方へ傾け、半田付け部分の寸法と溶融半田浸漬空間の隙間を極力小さくし、溶融半田浸漬空間に繋がる溶融半田貯留空間を設けて温度保持と、溶融半田の表面張力を高める。さらに糸半田の供給位置を溶融半田浸漬空間の開口近くに配し、半田付けのたびに糸半田を必要量供給する。また半田付け部分には溶融半田に浸す前にフラックス塗布を行い、且つポット開口部の半田堆積、フラックス浮遊除去の為のスキージを適時作動させる。半田付けの仕上がり寸法を確定させる成型ガイドを設け、且つ発生する半田カス、フラックスカスの除去を行うエアーブローノズルを取り付ける。
【実施例１】
【０００７】  図１では、１はポットを示し、２の溶融半田浸漬空間と、これに繋がる３の溶融半田貯留空間を有し、４の溶融半田は５のヒーターで加熱される。１のポットに開けられた６の導孔と７のガイドを通して、８の糸半田が４の溶融半田に必要量供給される。９のポット開口部では４の溶融半田は表面張力で外部に排出することがない。１０は溶融半田に浸された１１の製品の半田付け部分である。１２の断熱材を介して１３のスタンドでポットを固定する。
図２では、ポットの溶融半田に浸す前に１４のノズルから１５のフラックスを塗布する。
図３では、溶融半田が累積でポット開口部に、ａ）に示す１６の不要堆積や、フラックスの浮遊堆積があるとき、それらを１７のスキージで除去する。ｂ）ではスキージが堆積部分を払い出す動作を示す。
図４では、半田付け後の外周を許容寸法内に仕上げる、あるいは、表面の均質化を求めるために、固定、または可動する１８の成型ガイドを設ける。ａ）は１８の成型ガイドの断面、ｂ）はその形状を示す。さらに成型時に発生する半田カス、フラックスカスを１９のエアーブローノズルで清掃する。
【符号の説明】１    半田ポット
２    溶融半田浸漬空間
３    溶融半田貯留空間
４    溶融半田
５    ヒーター
６    導孔
７    ガイド
８    糸半田
９    ポット開口部
１０  半田付け部分
１１  製品
１２  断熱材
１３  スタンド
１４  ノズル
１５  フラックス
１６  不要堆積
１７  スキージ
１８  成型ガイド
１９  エアーブローノズル
【図１】
2017006981.tif 000003
【図２】
2017006981.tif 000004
【図３】
2017006981.tif 000005
【図４】
2017006981.tif 000006
(57)【要約】      （修正有）【課題】酒粕や純ココアを含む機能性飲料を含む機能性食品は、他に多くの機能性成分の組み合わせをさらに含有させているため、製品の生産工程が複雑化し、原料コストや生産コストが増加。【解決手段】酒粕、純ココア末、黒砂糖、廃糖蜜を含む糖蜜の組み合わせを特徴として、他の機能性成分を添加することなく機能性を発揮させる機能性食品。酒粕、純ココア末、黒砂糖、廃糖蜜を含む糖蜜を含み、矯味成分、矯臭成分、着色成分、着香成分、水から選ばれる少なくともひとつ、もしくは二つ以上の組み合わせを含有してなる機能性飲料を含む機能性食品。【選択図】なし【特許請求の範囲】
【請求項１】
酒粕、純ココア末、黒砂糖、廃糖蜜を含む糖蜜から成る、機能性飲料を含む機能性食品。
【請求項２】
酒粕、純ココア末、黒砂糖、廃糖蜜を含む糖蜜を含み、矯味成分、矯臭成分、着色成分、着香成分、水から選ばれる少なくともひとつ、もしくは二つ以上の組み合わせを含有してなることを特徴とする機能性飲料を含む機能性食品。
【請求項３】
矯味成分が甘味料、酸味料、苦味料、食塩から選ばれる少なくともひとつ、もしくは二つ以上の組み合わせであることを特徴とする請求項１又は２に記載の機能性飲料を含む機能性食品。
【請求項４】
請求項１から請求項３に記載の機能性が、体重減量、体内脂肪排泄、血圧の正常化、血糖値の正常化、脳機能の活性化、微小循環の改善、免疫機能の向上、皮膚トラブルの解消から選ばれる少なくともひとつ、もしくは二つ以上の組み合わせであることを特徴とする請求項１から請求項３に記載の機能性飲料を含む機能性食品。
【発明の詳細な説明】
【技術分野】
【０００１】  本発明は、酒粕、純ココア末、黒砂糖、廃糖蜜を含む糖蜜を含む機能性飲料を含む機能性食品に関する。【０００２】  本発明は、前項に記載の機能性は、体重減量、体内脂肪排泄、血圧の正常化、血糖値の正常化、脳機能の活性化、微小循環の改善、免疫機能の向上、皮膚トラブルの解消から選ばれる少なくともひとつ、もしくは二つ以上の組み合わせであることを特徴とし、前述の病態を主訴とする各種疾患や症状の治療補助、改善もしくは軽減のほか、予防にも最適な機能性飲料を含む機能性食品に関する。
【技術背景】
【０００３】  従来の酒粕そのもの、または酒粕を含有する機能性飲料を含む機能性食品は、数多く存在していた。
【０００４】  また前項に記載の従来からある機能性飲料を含む機能性食品の多くは、体重減量、体内脂肪排泄、血圧の正常化、血糖値の正常化、脳機能の活性化、微小循環の改善、免疫機能の向上、皮膚トラブルの解消といった機能性を兼ね備えていた。
【０００５】  しかしながら、［０００３］［０００４］に記載の機能性飲料を含む機能性食品の中で、酒粕、純ココア末、黒砂糖、廃糖蜜を含む糖蜜の組み合わせを特徴とするものは、存在しなかった。
【０００６】  酒粕は、古来より料理用の素材として利用されており、その栄養価と機能性は、広く認知されている。
【０００７】  酒粕１００ｇあたりの栄養価は、五訂増補日本食品標準成分表では、エネルギー２２７キロカロリー、炭水化物２３．８ｇ、食物繊維５．２ｇ、脂肪１．５ｇ、たん白質１４．９ｇ、ビタミン類では、ビタミンＢ１（チアミン）０．０３ｍｇ、ビタミンＢ２（リボフラビン）０．２６ｍｇ、ビタミンＢ３（ナイアシン）２ｍｇ、ビタミンＢ５（パントテン酸）０．４８ｍｇ、ビタミンＢ９（葉酸）１７０μｇ、ミネラル類では、カルシウム８ｍｇ、鉄分０．８ｍｇ、マグネシウム９ｍｇ、リン８ｍｇ、カリウム２８ｍｇ、ナトリウム５ｍｇ、亜鉛２．３ｍｇとされており、美容と健康の維持に適した食材とされている。
【０００８】  ココアについては、特にカカオの種子を発酵、焙煎後に、種皮と胚芽を除去して磨り潰して得られたカカオマスを、脱脂後に得られる純ココア（ココアパウダー）を使用する。
【発明の概要】
【発明が解決しようとする課題】
【０００９】  本発明が解決しようとする課題は、酒粕、純ココア末、黒砂糖、廃糖蜜を含む糖蜜の組み合わせを特徴として、他の機能性成分を添加することなく、機能性を発揮させることにある。【００１０】  さらに、従来の酒粕や純ココアを含む機能性飲料を含む機能性食品は、他に多くの機能性成分の組み合わせをさらに含有させているため、製品の生産工程が複雑化し、原料コストや生産コストが課題となっている。
【課題を解決するための手段】
【００１１】  上記の目的を達成するために、本発明は、機能性の中心となる成分を酒粕、純ココア末、黒里の組み合わせを特徴としている。【００１２】  さらに、酒粕、純ココア末、黒砂糖、廃糖蜜を含む糖蜜の組み合わせを特徴とすることで、他機能性成分の添加をすることなく、製品の生産工程を簡素化し、原料コストや生産コストの低減化を解決することが可能となる。
【発明の効果】
【００１３】  本発明は、酒粕、純ココア末、黒砂糖、廃糖蜜を含む糖蜜の組み合わせを特徴とすることで、前述に記載した課題を解決し、生産工程の簡素化と生産コストの低減、原料コストの低減化を可能にする。【００１４】  また、本発明は、酒粕、純ココア末、黒砂糖、廃糖蜜を含む糖蜜が有する、それぞれの特徴を併せ持った機能性を有する、機能性飲料を含む機能性食品である。【００１５】  前項に記載の機能性は、体重減量、体内脂肪排泄、血圧の正常化、血糖値の正常化、脳機能の活性化、微小循環の改善、免疫機能の向上、皮膚トラブルの解消から選ばれる少なくともひとつ、もしくは二つ以上の組み合わせであることを特徴とし、前述の病態を主訴とする各種疾患や症状の治療補助、改善もしくは軽減のほか、予防にも最適な機能性飲料を含む機能性食品である。
【発明を実施するための形態】
【００１６】  本発明の機能性飲料を含む機能性食品を生産する際の、酒粕、純ココア末、黒砂糖、廃糖蜜を含む糖蜜と、それぞれを均一溶解させるための溶媒を水とした場合の配合比率を以下に記す。
【００１７】  前項に記載した各素材の配合比率は、水１００ｍｌに対して、酒粕２０から７０％、純ココア末５から２０％、黒砂糖１０から７０％、廃糖蜜を含む糖蜜５から５０％の範囲で調整する。
【００１８】  前項で調整した液体素材に、矯味成分、矯臭成分、着色成分、着香成分から選ばれる少なくともひとつ、もしくは二つ以上の組み合わせを適量添加することで、飲みやすい状態に整える。
【００１９】  前項に記載の矯味成分は、甘味料、酸味料、苦味料、食塩から選ばれる少なくともひとつ、もしくは二つ以上の組み合わせである。
【００２０】  前項により最終調整が完了した飲料もしくは高粘度食品は、体重減量、体内脂肪排泄、血圧の正常化、血糖値の正常化、脳機能の活性化、微小循環の改善、免疫機能の向上、皮膚トラブルの解消から選ばれる少なくともひとつ、もしくは二つ以上の組み合わせであることを特徴とし、前述の病態を主訴とする各種疾患や症状の治療補助、改善もしくは軽減のほか、予防にも最適な機能性飲料を含む機能性食品である。
【産業上の利用可能性】
【００２１】  本発明は、機能性飲料を含む機能性食品を製造、販売する産業で利用される。
(57)【要約】      （修正有）【課題】ピトンにロープを結ぶ際、ロープワークの知識がなくても、適切に結ぶことが出来る形状を有したピトンを提供する。【解決手段】ピトン本体１にクリート２を取り付け一体化する。クリート２は例えば、ピトン本体１側面に設けられた金属製の突起である。このクリート２の働きで、簡単に手早くロープを結ぶ事ができる。【選択図】図１
2017006107.tif 000002
【特許請求の範囲】
【請求項１】
ピトンにクリートを設けたことを特徴とするピトン。
【発明の詳細な説明】
【技術分野】
【０００１】  この発明は、ピトンの形状に関する。
【背景技術】
【０００２】  従来の、ピトンの形状は、図３から図４に示すように、ピトン上部にリングが取り付けられたものである。
【発明の概要】
【発明が解決しようとする課題】
【０００３】しかしながら、以上の技術によれば、ロープを結ぶのに、ロープワークの知識がなければ、適切な結びをすることが難しかった。そこで、この発明は、簡単に手早くロープを結ぶ事を課題とする。
【課題を解決するための手段】
【０００４】  以上の課題を解決する為にピトンにクリートを設けた事を特徴とするピトンである
【発明の効果】
【０００５】  この発明によれば、ピトンにクリートを取り付けたことで、簡単に手早くロープを結ぶ事ができる。
【図面の簡単な説明】
【０００６】
【図１】この発明の一実施形態を示す正面図である。
【図２】この発明の一実施形態を示す側面図である。
【図３】従来技術の一実施形態を示す正面図である。
【図４】従来技術の一実施形態を示す図３の側面図である。
【発明を実施するための形態】
【０００７】  この発明の一実形態を、図１および図２に示す。
ピトン本体１は金属製（ステンレスまたはチタン）であり、この本体１の側面には、金属製（ステンレスまたはチタン）のクリート２が設けられている。
【実施形態の効果】
【０００８】  この実施形態によればクリートがある事で簡単に手早くロープを結ぶことができる。
【符号の説明】
【０００９】    １  ピトン本体    ２  クリート    ３  リング
【図１】
2017006107.tif 000003
【図２】
2017006107.tif 000004
【図３】
2017006107.tif 000005
【図４】
2017006107.tif 000006
(57)【要約】【課題】魚をしめる為に用いられているしめ具の形状は、魚の脳を貫通するだけであり、効率良く脳を破壊出来なかった。【解決手段】しめ具のシャフト部分に突起を設ける。突起は例えば、シャフト先端手前に設けられた突起３（ブレインクラッシャー）である。突起３（ブレインクラッシャー）の働きで、魚の脳が効率良く破壊できる。【選択図】図１
2017006106.tif 000002
【特許請求の範囲】
【請求項１】
しめ具に、魚の脳を効率よく破壊する為に突起（ブレインクラッシャー）を設けたことを特徴とするしめ具。
【発明の詳細な説明】
【技術分野】
【０００１】  この発明は、魚をしめる時に用いる道具の形状に関する。
【背景技術】
【０００２】  従来のしめ具に用いるシャフトの形状は、図３に示すように、シャフトの先端が、単純な円錐状のようになっている。
【発明の概要】
【発明が解決しようとする課題】
【０００３】  しかしながら、以上の技術によれば、魚の脳を破壊しづらく、ただ刺す効果しか得られなかった。
そこで、この発明は、魚の脳を効果的に破壊できることを課題とする。
【課題を解決するための手段】
【０００４】  以上の課題を解決するために、この発明は、シャフトに脳を破壊しやすくする部分を設けたことを特徴とするしめ具である。
【発明の効果】
【０００５】  この発明によれば、しめ具に脳を破壊するための突起部分を設けたので、魚の脳を効率良く破壊できる。
【図面の簡単な説明】
【０００６】
【図１】この発明の一実施形態の正面図である。
【図２】この発明の一実施形態の側面図である。
【図３】従来技術を示すしめ具の正面図である。
【図４】従来技術を示すしめ具の図３の側面図である。
【発明を実施するための形態】
【０００７】  この発明の一実施形態を、図１および図２に示す。
しめ具本体はステンレス製またはチタン製であり、このしめ具の上部にはグリップ１がありシャフト２には、脳を破壊する為の突起部分３が、一体的に設けられている。
【実施形態の効果】
【０００８】  この実施形態によれば、脳を破壊する為の突起部分３を、魚の脳に入れた時回転させ、突起部分によって脳を破壊しやすい。脳を破壊する為の突起部分３が無ければ、円錐状のような形状だけなので、効率良く魚の脳は破壊できない。
【符号の説明】
【０００９】１  グリップ      ２  シャフト      ３  突起（ブレインクラッシャー）
【図１】
2017006106.tif 000003
【図２】
2017006106.tif 000004
【図３】
2017006106.tif 000005
【図４】
2017006106.tif 000006
(57)【要約】【課題】牡蠣特有の臭みが消え、レモンの爽やかさが残り、誰にも好まれる栄養豊かな牡蠣を提供することを目的とする。【解決手段】レモン果汁を添加した海水に浸漬することにより、レモン果汁を体内に吸収させ、牡蠣特有の臭みを解消させるものとする。【特許請求の範囲】
【請求項１】
殻付のまたは剥き身にした牡蠣であって、所定の量のレモン果汁を添加した海水に浸漬し、レモン果汁を吸収させたことを特徴とする牡蠣。
【発明の詳細な説明】
【技術分野】
【０００１】  本発明は、レモン果汁を添加した海水に浸漬することによりレモン果汁を体内に吸収させた牡蠣に関するものである。
【背景技術】
【０００２】  牡蠣は海中の栄養分を丸ごと凝縮してカプセル化したようなバランス栄養食品である。成人病の元凶とされる血中コレステロール値の上昇を抑え、脂肪の消化吸を促進し、神経系統のトラブル改善に効果があるタウリン、１８種類のアミノ酸を含み身体機能を支える良質なたんぱく質、骨や歯を丈夫にするカルシウム、冷え性や貧血を防止する鉄分、冷え性、貧血は女性に多く、特に妊娠中や授乳期は積極的に摂取しなければならない栄養素である。また疲労回復や体力増強、糖尿病予防に効果があるグリコーゲン、味覚障害、免疫力の低下、子供の成長や胎児の発育に不可欠な亜鉛等、牡蠣は海のミルクと呼ばれるほど、栄養の宝庫である。【０００３】  しかしながら、牡蠣は、特有の臭みがあることから、一番食していただきたい若い女性や成長期である子供に、なかなか食してもらえないという問題があった。【０００４】  本発明者は、このような実情のもと、牡蠣特有の臭みを取り除きながらも牡蠣の風味を損なうことのない美味しい牡蠣を作る方法について検討を重ねた。その結果、本発明者は、所定の量のレモン果汁を添加した海水に浸漬したことによって得られる牡蠣が、以上に説明したような問題点を解決できる、という知見を創作するに至った。
【発明の概要】
【発明が解決しようとする課題】
【０００５】  本発明は、牡蠣特有の臭みを抑えるだけでなく、レモンの爽やかさが残ることによって、より美味しく、誰にも好まれる栄養豊かな牡蠣を提供することを目的とする。
【課題を解決するための手段】
【０００６】  本発明に係る牡蠣は、レモン果汁を添加した海水に浸漬することによりレモン果汁を体内に吸収させた牡蠣であることを特徴としている。【０００７】  また、本発明に係る牡蠣は、殻付または剥き身にした牡蠣にした状態で、所定の量のレモン果汁を添加した海水に浸漬することによりレモン果汁を体内に吸収させた牡蠣であることを特徴としている。
【発明の効果】
【０００８】  本発明によれば、牡蠣の特有の臭みを全く感じさせず、レモンの爽やかな果汁感を有する牡蠣を提供することができる。【０００９】  さらに、牡蠣に豊富に含まれる人間が生きて行く上で欠かせない必須ミネラル亜鉛は、食品からとり難いうえ、吸収されにくい栄養素であるが、レモンが含有するビタミンＣやクエン酸を同時に摂取することでその吸収率を高める効果も期待できる。【００１０】  レモンが含有するビタミンＣやクエン酸は、菌を抑制する効果があり、より安心安全な牡蠣を提供することができる。
【実施例】
【００１１】  以下に示す実施例により、本発明について詳細に説明を行う。【００１２】  牡蠣は、ろ過性捕食者と呼ばれ、大量の海水を一度に取り込み、餌となる植物プランクトンを濾しとって食べる。これを利用して、レモン果汁を添加した海水の中に殻付または剥き身の牡蠣を浸漬し、レモン果汁を取り込ませた。【００１３】  また、牡蠣は、体表からも水の交換をすることから、レモン果汁を添加した海水のなかに浸漬することにより体表からもレモン果汁を取り込ませることができる。【００１４】  このようにして得た牡蠣を食したところ、牡蠣特有の臭みは、全く感じられなかった。さらに、レモンの爽やかな味と香りが感じられ、酸味が加わったことで甘みを感じ、牡蠣の旨味が劇的に向上していた。
(57)【要約】      （修正有）【課題】生塵コンポスト器、生塵入れ器の防虫，防臭構造の提供。【解決手段】生塵コンポスト器本体３の開口部の周囲に連続した溝２を作り、水をはり、蓋１の端を挿し込み、水封状態として外気と遮断密閉することにより、嫌気発酵を行い、脱酸素状態となり、虫の侵入防止の防止及び虫の死滅により虫の発生を無くし、又嫌気発酵による腐敗臭の外部への漏洩を防ぎ、更に嫌気発酵菌（イイエムボカシ）等を加えることにより嫌気発酵をうながしても良い生塵コンポスト器、生塵入れ器。【選択図】図２
2017006895.tif 000002
【特許請求の範囲】
【請求項１】
容器の、開口部の周囲に連続した溝を設け、水を張り、上蓋の端を挿し込み水封密閉する構造、
【発明の詳細な説明】
【技術分野】
【０００１】この発明は、生塵コンポスト器、生塵入れ器、の開口部を水封により、外気と遮断密ペイする形状に関する物である、
【背景技術】
【０００２】従来コポスト器は投入口等に蓋はあつたが、虫の侵入、繁殖、腐敗臭等不衛生であつた、
【先行技術文献】
特許文献
【０００３】
【特許文献１】
【発明の概要】
【発明が解決しようとする課題】
【０００４】これには次の様な穴点があつた、
（イ）虫の侵入繁殖
（ロ）腐敗による悪臭
本発明は以上の様な欠点をなくすると共に嫌気発酵により生塵の消去促進を図るものである、
【課題を解決するための手段】
【０００５】容器の開口部周囲に連続した溝を作り、そこに水を張り蓋の端をひたし水封状態とし、外気と遮断密閉する事により嫌気発酵をうながす、
【発明の効果】
【０００６】（イ）水封密閉することにより生塵が嫌気発酵し消去促進する、
（ロ）嫌気発酵菌（イイエムボカシ）当を加える事により、いつそう、嫌気発酵が進み、コンポスト内が脱酸素状態となり虫の死滅と腐敗臭の発成を防ぎ生活環境をよくする、
【図面の簡単な説明】
【０００７】
【図１】本発明の斜視図である、
【図２】本発明の断面図である、
【発明を実施する為の形態】
【０００８】コンポストの溝にみずを入れ上蓋の端を完全にさしこむ、コンポスト内部が、脱酸素状態と成り、生塵が嫌気発酵と成るようにする。
【符号の説明】
【０００９】１  生塵コンポストの蓋、
２  本体と蓋を水封する結合部、
３  生塵コンポスト器本体、
【図１】
2017006895.tif 000003
【図２】
2017006895.tif 000004
(57)【要約】      （修正有）【課題】オムレツ、オムライス等を作るには上手に作るには因難な為、簡単にオムレツ、オムライス等を作れる器具を提供する。【解決手段】楕円形（ラグビーボール状）の球体Ａ１，Ａ２を縦半分に切断し蝶番Ｃと取手Ｄ１，Ｄ２を施こした。【選択図】図１
2017006611.tif 000002
【特許請求の範囲】
【請求項１】
オムレツ、オムライス等を簡単に作る器具
【発明の詳細な説明】
【考案の詳細な説明】
【産業上の利用分野】
【０００１】この考案は簡単にオムレツ、オムライス等を作れるようにしたラグビーボール状の器具である
【背景技術】
【０００２】一搬的なフライパンで作っていた
【考案が解決しようとする課題】
【０００３】簡単にオムレツ、オムライス等を作れるようにする
【問題を解決するための手段】
【０００４】ラグビーボール状の熱に強いものを２個作りその中にオムレツ、オムライス等の具材を入れ調理する。
【作用】
【０００５】オムレツ、オムライスを作った
【実施例】
【０００６】ラグビーボール状の器具に、といた卵を適量注ぎケチャップライスも適量入れ調理しオムライスを作った
【考案の効果】
【０００７】一搬的なフライパンより簡単にオムライスが上手にできた
【図面の簡単な説明】
【図１】▲１▼  上図平面図    ▲２▼  左側横平面図
【符号の説明】Ａ１  ラグビーボール状のものを縦半分に切断した容器Ａ２  ラグビーボール状のものを縦半分に切断した容器Ｂ１、Ｄ１  取手    Ｂ２、Ｄ２  取手
【図１】
2017006611.tif 000003